(57)【要約】【課題】  第１の目的は、スピーカカバー部材を利用して、設計の自由度と製品外観面の美観を向上させた電子機器を提供することであり、第２の目的は、スピーカ構成部の配置とスピーカカバー部材の固定の最適化を図った電子機器を提供することである。【解決手段】  スピーカネット２３０を固着してスピーカ部２２０の前面に配設されるスピーカカバー本体２４０を有するスピーカカバー部材２１０とスピーカ部２２０とを備えたスピーカ構成部２００を構成し、電子機器１の本体とスピーカ部２２０とを収容する外装ケース１００のスピーカカバー固定部領域１２０には、スピーカカバー部材２１０を固定するブッシュ１３０と、スピーカ構成部２００とは異なる別の構成部の有する別構成部材とが配設され、スピーカカバー部材２１０がブッシュ１３０に固定されることにより、スピーカカバー部材２１０は、スピーカ部２２０および別構成部材を覆う。【選択図】      図２
2007036933.tif 000002
【特許請求の範囲】
【請求項１】
報音するためのスピーカ部を有する電子機器であって、
スピーカネットを固着して前記スピーカ部の前面に配設されるスピーカカバー本体を有するスピーカカバー部材と前記スピーカ部とを備えたスピーカ構成部と、
前記電子機器の外装を構成し、前記電子機器の本体と前記スピーカ部とを収容する外装ケースとを有し、
前記外装ケースの外観面側には、前記スピーカカバー部材を固定する固定部と、前記スピーカ構成部とは異なる別の構成部を有する別構成部材とが配設され、
前記スピーカカバー部材が前記固定部に固定されることにより、前記スピーカカバー部材は、前記スピーカ部および前記別構成部材を覆うことを特徴とする電子機器。
【請求項２】
請求項１に記載の電子機器であって、
前記別の構成部は、複数の部材を有して前記外装を構成する外装構成部であり、前記別構成部材は、前記外装構成部の前記部材を固定する固定部材であることを特徴とする電子機器。
【請求項３】
請求項１または請求項２に記載の電子機器であって、
前記スピーカ構成部は、前記電子機器の外観面となる前記外装ケースの少なくとも隣合う２つの面が交差するコーナー部に配設され、少なくとも前記２つの面と交差する方向に報音することを特徴とする電子機器。
【請求項４】
請求項１または請求項２に記載の電子機器であって、
前記スピーカ構成部は、前記電子機器の外観面となる前記外装ケースの少なくとも隣合う２つの面が交差するコーナー部に配設され、
前記スピーカカバー部材は、少なくとも２つの面を有して、前記電子機器の前記コーナー部の外観面を構成することを特徴とする電子機器。
【請求項５】
請求項４に記載の電子機器であって、
前記スピーカカバー部材は、当該スピーカカバー部材本体を前記固定部に固定するための突出部を有し、当該突出部は、少なくとも前記２つの面のそれぞれの面に略垂直に突出して設けられていることを特徴とする電子機器。
【請求項６】
請求項４に記載の電子機器であって、
前記スピーカカバー部材は、当該スピーカカバー部材本体を前記固定部に固定するための突出部を有し、当該突出部は、前記スピーカカバー本体の成形時に、成形用金型の可動方向に略平行となるように、少なくとも前記２つの面のそれぞれの面に形成されることを特徴とする電子機器。
【請求項７】
請求項１〜請求項６のいずれか一項に記載の電子機器は、映像を投写するプロジェクタの機能を有していることを特徴とする電子機器。
【発明の詳細な説明】
【技術分野】
【０００１】
本発明は、電子機器に関する。特に、スピーカを有する電子機器に関する。
【背景技術】
【０００２】
スピーカを有する電子機器において、スピーカの前面を覆うスピーカネットの取付（固定）構造は、特許文献１に示すように、スピーカエンクロージャー側に孔部を設け、スピーカネット側に断面放射形状の突柱を設け、孔部に突柱がねじれた状態で圧入されることで固定する構造が知られている。また、特許文献２に示すように、スピーカの組立作業を簡易化するために、フロントキャビネットに内広がりのテーパ部をもつ開口部を設けて、前記テーパ部に対応する外広がりのテーパ部を設けて、開口部の内側からスピーカネットを装着しこの後部からスピーカユニットを取付ける構造のものが知られている。
【０００３】
【特許文献１】特開平５−２６８６８７号公報
【特許文献２】実開平５−８００８６号公報
【発明の開示】
【発明が解決しようとする課題】
【０００４】
しかしながら、特許文献１及び特許文献２によると、スピーカネットは１平面に設けられる構成であるが、電子機器の小型化により、多平面に設けられる場合が出てくる。その場合には、スピーカネットの固定構造などに課題が出る。また、各機能の複合化及び小型化により各構成部の構造も複雑となり、各構成部を外装ケースに組込む場合に、構成部分の案内用孔や固定用ネジなどを外観面に配設する設計を行わざるを得ない状況が出て来ている。そのことが、電子機器の製品外観面の美観を損ねてしまう原因となっている。特に電子機器としてのＡＶ（Audio-Visual）機器などでは、外観も製品の重要な要素となるため、外観面の美観を向上させることは、重要な課題となる。
【０００５】
本発明は、上記課題に鑑みてなされたものであり、第１の目的は、スピーカカバー部材を利用して、設計の自由度と製品外観面の美観を向上させた電子機器を提供することであり、第２の目的は、スピーカ構成部の配置とスピーカカバー部材の固定の最適化を図った電子機器を提供することである。
【課題を解決するための手段】
【０００６】
上述した目的を達成するために、本発明の電子機器は、報音するためのスピーカ部を有する電子機器であって、スピーカネットを固着してスピーカ部の前面に配設されるスピーカカバー本体を有するスピーカカバー部材とスピーカ部とを備えたスピーカ構成部と、電子機器の外装を構成し、電子機器の本体とスピーカ部とを収容する外装ケースとを有し、前記外装ケースの外観面側には、スピーカカバー部材を固定する固定部と、スピーカ構成部とは異なる別の構成部を有する別構成部材とが配設され、スピーカカバー部材が固定部に固定されることにより、スピーカカバー部材は、スピーカ部および別構成部材を覆うことを特徴とする。
【０００７】
このような電子機器によれば、スピーカカバー部材が固定部に固定されると、スピーカ部と電子機器の外装ケースの外観面側に配設される別構成部材とを覆う。これにより、スピーカカバー部材の有するスピーカネットを介して別構成部材が目立たなくなり、外装ケースの外観面側に配設される別構成部材を直接見る場合に比べて美観を向上させることができる。また、別構成部材をスピーカカバー部材に覆われる領域に配設することができるため、電子機器の設計における自由度も併せて向上することができる。
【０００８】
上記電子機器において、別の構成部は、複数の部材を有して外装を構成する外装構成部であり、別構成部材は、外装構成部の部材を固定する固定部材であることが好ましい。
【０００９】
このような電子機器によれば、外装構成部の固定部材をスピーカカバー部材が覆うことにより、美観を向上させることができる。
【００１０】
上記電子機器において、スピーカ構成部は、電子機器の外観面となる外装ケースの少なくとも隣合う２つの面が交差するコーナー部に配設され、少なくとも２つの面と交差する方向に報音することが好ましい。
【００１１】
このような電子機器によれば、スピーカ構成部を電子機器の外装ケースの少なくとも隣合う２つの面が交差するコーナー部に配設し、その２つの面と交差する方向に報音する。これにより、スピーカ構成部から出力される音を、例えば、外装ケースの前面方向（前面と交差する方向）のみならず隣合う側面方向（側面と交差する方向）にも報音することができ、聴取範囲が拡大される。これにより、スピーカ構成部の配置の最適化が図れる。
【００１２】
上記電子機器において、スピーカ構成部は、電子機器の外観面となる外装ケースの少なくとも隣合う２つの面が交差するコーナー部に配設され、スピーカカバー部材は、少なくとも２つの面を有して、電子機器のコーナー部の外観面を構成することが好ましい。
【００１３】
このような電子機器によれば、電子機器の外装ケースのコーナー部にスピーカカバー部材を配設する場合に、外装ケースの形状に合わせて２つの面を有して電子機器のコーナー部の外観面を構成しても良いし、３つ以上の面を有して電子機器のコーナー部の外観面を構成しても良く、スピーカ構成部の有するスピーカカバー部材の配置の最適化が図れる。
【００１４】
上記電子機器において、スピーカカバー部材は、スピーカカバー部材本体を固定部に固定するための突出部を有し、突出部は、少なくとも２つの面のそれぞれの面に略垂直に突出して設けられていることが好ましい。
【００１５】
このような電子機器によれば、スピーカカバー部材の突出部は、少なくとも前記２面のそれぞれの面に略垂直に突出して設けたので、スピーカカバー部材を固定部に固定する場合には、スピーカカバー部材の弾性を利用して固定部に固定することにより確実に固定できる。これにより、スピーカカバー部材の固定の最適化が図れる。
【００１６】
上記電子機器において、スピーカカバー部材は、スピーカカバー部材本体を固定部に固定するための突出部を有し、突出部は、スピーカカバー本体の成形時に、成形用金型の可動方向に略平行となるように、少なくとも２面のそれぞれの面に形成されることが好ましい。
【００１７】
このような電子機器によれば、スピーカカバー本体の突出部の成形における金型構造が、入れ子など使用する必要もなく、シンプルになるため、金型コストひいては部品コストを低減することが可能になる。また、スピーカカバー部材を固定部に固定する場合には、スピーカカバー部材の弾性を利用して固定部に固定することにより確実に固定できる。
【００１８】
上記電子機器は、映像を投写するプロジェクタの機能を有していることが好ましい。
【００１９】
このような電子機器によれば、プロジェクタ機能により、映像をスクリーンなどの投影面に投写して視聴することができる。また、上述したと同様にスピーカ構成部の配置の最適化などにより、聴取範囲が拡大され、電子機器の設置位置や、視聴者の位置や人数などに影響されず使用できる。また、上述したと同様に美観を向上させたプロジェクタ機能を有する電子機器が実現できる。
【発明を実施するための最良の形態】
【００２０】
以下、本発明の実施形態を図面に基づいて説明する。
（第１実施形態）
【００２１】
図１は、本発明の第１実施形態に係る電子機器の概略斜視図であり、スピーカが配設される側（背面側）から見た斜視図である。図２は、図１において、外装ケースの外面側に配設されたスピーカカバー部材を取外した状態を示す斜視図である。図３は、スピーカカバー部材の斜視図であり、図３（ａ）は、スピーカカバー部材を上方から見た図であり、図３（ｂ）は、スピーカカバー部材を内面側から見た斜視図である。図１、図２及び図３を用いて、電子機器１の構成を説明する。
【００２２】
図１及び図２に示すように、本発明の電子機器１は、略直方体の外装である外装ケース１００の内部に、電子機器１の本体として、映像を拡大投写するプロジェクタ本体と、プロジェクタ本体が投写する映像に関連する画像を再生する画像再生装置本体とを収容している。また、外装ケース１００の内部に、画像再生装置本体からの音声を報音するスピーカ構成部２００を収容している。ここで、本実施形態では、画像再生装置としてＤＶＤ（Digital Versatile Disk）プレーヤを採用している。なお、本実施形態でのプロジェクタは、透過型液晶方式のプロジェクタを採用している。
【００２３】
プロジェクタ本体は、図中において、外装ケース１００の内部上側に収容され、画像再生装置本体は、外装ケース１００の内部下側に収容されている。また、スピーカ構成部２００は、背面側１ａと右面側１ｂとのコーナー部、及び、背面側１ａと左面側１ｃとのコーナー部にそれぞれ１組ずつ収容されている。本発明の電子機器１は、プロジェクタ本体と画像再生装置本体とが複合化された一体型の電子機器（プロジェクタ機能付き電子機器）１となっている。
【００２４】
電子機器１のプロジェクタ本体から投写された映像光（図中において二点鎖線で示す）は、前面側１ｄに配設される投写レンズ（図示省略）を介して、電子機器１の外部に備えられたスクリーン５００などの投写面に映像として拡大投写される。
【００２５】
外装ケース１００の背面側１ａの中央部下側には、画像再生装置としてのＤＶＤプレーヤの記録媒体を投入するＤＶＤ投入部３００や動作中の表示を行う表示部３１０などが配設されている。また、上述したコーナー部には、スピーカ構成部２００（右側のスピーカ構成部２００ａと左側のスピーカ構成部２００ｂ）が配設されている。
【００２６】
外装ケース１００の上面側１ｅには、電子機器１の操作部１０が配設されている。また、プロジェクタの光源用ランプの交換時に開閉するカバー部１１が配設され、投写レンズの焦点調整やズーム調整を行う調整部１２なども配設されている。
【００２７】
外装ケース１００の右面側１ｂには、プロジェクタ本体および画像再生装置本体を冷却するための排気口１５，１６が、スリット状孔を複数形成して配設されている。
【００２８】
外装ケース１００の前面側１ｄには、上述した投写レンズが、外装ケース１００に形成した円状口から若干突出して備えられている。また、前面側１ｄには、インターフェイス部が構成されており、外部の装置からの入力信号形式に対応した各種接続端子が配設されている。また、左面側１ｃにはプロジェクタ本体および画像再生装置本体を冷却するための外気を吸気する吸気口なども配設されている。
【００２９】
図２を用いて、スピーカ構成部２００（２００ａ，２００ｂ）に関して詳細に説明する。なお、右側のスピーカ構成部２００ａと左側のスピーカ構成部２００ｂとは、左右対称に構成されており構成や作用も同様のため、右側のスピーカ構成部２００ａを中心に説明する。図２においては、左側のスピーカ構成部２００ｂのスピーカカバー部材は図示を省略している。
【００３０】
外装ケース１００は、外観面外装ケース１１０とベース用外装ケース（図示省略）とを有して構成される。外観面外装ケース１１０は、合成樹脂で略箱状に形成され、電子機器１の下面側１ｆを除く外観面を構成する。また、ベース用外装ケースは、金属薄板で略箱状に形成され、電子機器１の下面側１ｆを構成し、電子機器１の各構成部を支えると共に組立てのベースとなる。外装ケース１００は、外観面外装ケース１１０がベース用外装ケースを覆う形態でネジなどの固定部材で固定され組立てられる。
【００３１】
外観面外装ケース１１０には、背面側１ａと隣合う右面側１ｂとが交差するコーナー部において、それぞれ一段凹ませて形成される平面領域となるスピーカカバー固定部領域１２０が形成されている。ここで、スピーカカバー固定部領域１２０の背面側１ａを背面側スピーカカバー固定部領域１２０ａ、右面側１ｂを右面側スピーカカバー固定部領域１２０ｂと称することとする。なお、スピーカカバー固定部領域１２０は、一方でスピーカ構成部２００を構成する部分ともなる。
【００３２】
電子機器１の背面側１ａの中央下側には、ＤＶＤ投入部３００や表示部３１０を配設され、外装ケース１００を構成するＤＶＤ外装ケース１１１が備えられている。また、ＤＶＤ外装ケース１１１は、両側面（左右）の下側に一段下がった面を有するＤＶＤ外装ケース固定部１１２（１１２ｂ，１１２ａ）が形成されている。ＤＶＤ外装ケース固定部１１２により、ＤＶＤ外装ケース１１１は、ベース用外装ケースに固定される。詳細には、ＤＶＤ外装ケース固定部１１２ａは、円形上の孔を有し、外観面外装ケース１１０の背面側スピーカカバー固定部領域１２０ａを挟み込み、その内側に位置するベース用外装ケースに形成したタップ加工部にネジ１５０によりネジ止めされることにより固定される。従って、ネジ１５０は、ＤＶＤ外装ケース固定部１１２ａと共に背面側スピーカカバー固定部領域１２０ａの外観面上に配設される構造となる。
【００３３】
なお、外観面外装ケース１１０、ベース用外装ケース及びＤＶＤ外装ケース１１１等の外装ケース１００は、電子機器１の外装を構成する外装構成部であり、外装構成部を構成する各外装ケース（１１０，１１１等）を固定する固定部材としてネジ１５０などを使用している。よって、スピーカ構成部２００とは異なる別の構成部としての外装構成部が有する別構成部材としてのネジ１５０が、スピーカ構成部２００を一方で構成する背面側スピーカカバー固定部領域１２０ａの外観面上に配設されることになる。
【００３４】
スピーカ構成部２００のスピーカ部２２０は、略四角柱の枠体で、背面側１ａ及び右面側１ｂにそれぞれ１つのスピーカ（背面側１ａには、スピーカ２２１、右面側１ｂには、スピーカ２２２）を有して構成されている。
【００３５】
スピーカカバー固定部領域１２０の背面側スピーカカバー固定部領域１２０ａと右面側スピーカカバー固定部領域１２０ｂとには、スピーカ２２１とスピーカ２２２とに相対して略円形状の開口部１２１と開口部１２２とが形成されている。そして、外観面外装ケース１１０のスピーカカバー固定部領域１２０の内側にスピーカ構成部２００のスピーカ部２２０を収納し固定される。この構成により、スピーカ２２１は、開口部１２１を介して音声を背面側１ａの方向（背面と交差する方向）に報音し、スピーカ２２２は、開口部１２２を介して音声を右面側１ｂの方向（右面と交差する方向）に報音する。
【００３６】
スピーカカバー固定部領域１２０の背面側スピーカカバー固定部領域１２０ａと右面側スピーカカバー固定部領域１２０ｂとには、スピーカ構成部２００を構成するスピーカカバー部材２１０を固定するための、固定部としてのブッシュ１３０が配設されている。詳細には背面側スピーカカバー固定部領域１２０ａには、ブッシュ１３０ａ及びブッシュ１３０ｂが配設され、右面側スピーカカバー固定部領域１２０ｂには、ブッシュ１３０ｃ及びブッシュ１３０ｄが配設されている。また、ブッシュ１３０は、スピーカカバー固定部領域１２０の各領域（１２０ａ，１２０ｂ）外観面に垂直方向に配設されている。
【００３７】
図２及び図３に示すように、スピーカカバー部材２１０は、スピーカネット２３０とスピーカカバー本体２４０とを有して構成される。スピーカカバー部材２１０は、細かい網目状のシート材で形成される。スピーカカバー本体２４０は、合成樹脂材料により断面略Ｌ字形状で剛性上必要な部分以外を開口部とする枠として形成される。また、スピーカネット２３０は、スピーカカバー本体２４０の外観面側に固着されている。これにより、スピーカカバー部材２１０は、２つの面（第１の面２１１と第２の面２１２）を持つ形態となる。また、スピーカカバー本体２４０の内面側の４つのコーナー部には、内面側を向き、２つの面に略垂直となる突出部２４１が形成されている。詳細には、第１の面２１１に略垂直方向に、突起２４１ａ，２４１ｂが形成され、第２の面２１２に略垂直方向に、突起２４１ｃ，２４１ｄが形成されている。
【００３８】
スピーカカバー部材２１０の突出部２４１の４つの突起（２４１ａ，２４１ｂ，２４１ｃ，２４１ｄ）をスピーカカバー固定部領域１２０に配設された固定部としての４つのブッシュ１３０（１３０ａ，１３０ｂ，１３０ｃ，１３０ｄ）に対応させて差込むことにより、スピーカカバー部材２１０がスピーカカバー固定部領域１２０に固定される。詳細には、スピーカカバー部材２１０の第１の面２１１は、背面側スピーカカバー固定部領域１２０ａを覆い、第２の面２１２は、右面側スピーカカバー固定部領域１２０ｂを覆う形態で固定される。また、差込時には、スピーカカバー部材２１０の弾性変形を利用して差込まれるため、若干変形して固定されることにより強固に固定される。
【００３９】
スピーカカバー部材２１０がスピーカカバー固定部領域１２０に固定されることにより、第１の面２１１は、外観面外装ケース１１０の背面側１ａの外観面を構成することになる。また、第２の面２１２は、外観面外装ケース１１０の右面側１ｂの外観面を構成することになる。また、スピーカカバー部材２１０がスピーカカバー固定部領域１２０に固定されることにより、スピーカ２２１，２２２及び開口部１２１，１２２等が覆われるのと併せて、背面側スピーカカバー固定部領域１２０ａの外観面上に固定されるＤＶＤ外装ケース固定部１１２ａ及びネジ１５０もスピーカカバー部材２１０により覆われる。
【００４０】
上述した、実施形態によれば以下の効果が得られる。
（１）本実施形態によれば、スピーカカバー部材２１０の突出部２４１がスピーカカバー固定部領域１２０の固定部としてのブッシュ１３０に固定される。それにより、スピーカ部２２０と外装ケース１００の外観面外装ケース１１０に形成されるスピーカカバー固定部領域１２０に配設されるＤＶＤ外装ケース固定部１１２及びネジ１５０とを覆う。これにより、スピーカカバー部材２１０の有するスピーカネット２３０を介してＤＶＤ外装ケース固定部１１２及びネジ１５０が目立たなくなる。外観面外装ケース１１０の外観面側に配設されるＤＶＤ外装ケース固定部１１２及びネジ１５０を直接見る場合に比べて美観を向上させることができる。また、ＤＶＤ外装ケース固定部１１２及びネジ１５０をスピーカカバー部材２１０に覆われる領域に配設することができるため、電子機器１の設計における自由度も併せて向上することができる。
【００４１】
（２）本実施形態によれば、スピーカ構成部２００は、電子機器１の外観面外装ケース１１０の背面側１ａと右面側１ｂとが交差するコーナー部、及び、背面側１ａと左面側１ｃとが交差するコーナー部に配設し、背面側１ａと右面側１ｂ、及び、背面側１ａと左面側１ｃの方向（各面とは交差する方向）に報音する。これにより、スピーカ（２２１，２２２等）から出力される音を、前面方向（本実施形態の場合は背面側１ａ方向）のみならず側面方向（本実施形態の場合には右面側１ｂ及び左面側１ｃ方向）にも報音することができ、聴取範囲が拡大される。これにより、スピーカ構成部２００の配置の最適化が図れる。
【００４２】
（３）本実施形態によれば、スピーカカバー部材２１０は、２つの面（第１の面２１１と第２の面２１２）を持つ形態であり、電子機器１のコーナー部の外観面を構成している。これにより、外装ケース１００のコーナー部の形状に対応したスピーカカバー部材２１０の配置の最適化が図れる。
【００４３】
（４）本実施形態によれば、スピーカカバー部材２１０は、スピーカカバー部材２１０本体を固定部としてのブッシュ１３０に固定するための突出部２４１を有し、突出部２４１は、２つの面（第１の面２１１と第２の面２１２）のそれぞれの面に略垂直に突出して設けられている。これにより、スピーカカバー部材２１０の突出部２４１をブッシュ１３０に固定する場合には、スピーカカバー部材２１０の弾性を利用してブッシュ１３０に固定することにより確実に固定できる。これにより、スピーカカバー部材２１０の固定の最適化が図れる。
【００４４】
（５）本実施形態によれば、電子機器１は、映像を投写するプロジェクタ本体を有している。これにより、映像をスクリーンなどの投影面に投写して視聴することができる。また、上述したと同様にスピーカ構成部の配置の最適化などにより、聴取範囲が拡大され、電子機器の設置位置や、視聴者の位置や人数などに影響されず使用できる。また、上述したと同様に美観を向上させたプロジェクタ機能を有する電子機器が実現できる。
（第２実施形態）
【００４５】
図４は、本発明の第２実施形態に係るスピーカカバー部材の概略斜視図であり、図４（ａ）は、スピーカカバー部材のスピーカカバー本体の成形時における型構造の概略説明図であり、図４（ｂ）は、スピーカカバー部材を内面側から見た斜視図である。図４を用いて、スピーカカバー部材２５０の構成を説明する。
【００４６】
第１実施形態でのスピーカ構成部２００を構成するスピーカカバー部材２１０において、突出部２４１は、２つの面（第１の面２１１と第２の面２１２）のそれぞれの面に略垂直に突出して設けられている。これに対して、本実施形態でのスピーカカバー部材２５０に形成される突出部２７１は、スピーカカバー本体２７０の成形時に、成形用金型（キャビまたはコア）の可動方向に略平行となるように設けられることが異なっている。
【００４７】
図４（ｂ）に示すように、スピーカカバー部材２５０は、第１実施形態と同様に、細かい網目状のシート材で形成されるスピーカネット２６０と、断面略Ｌ字形状で剛性上必要な部分以外を開口部とする枠として形成されるスピーカカバー本体２７０とで構成されている。また、スピーカネット２６０は、スピーカカバー本体２７０の外観面側に固着されている。これにより、スピーカカバー部材２５０は、２つの面（第１の面２５１と第２の面２５２）を持つ形態となる。
【００４８】
図４（ａ）に示すように、スピーカカバー本体２７０は、合成樹脂材料を用いて射出成形により成形されている。そして、スピーカカバー本体２７０を成形する成形用金型の構造は、スピーカカバー本体２７０の内面側となる領域は、成形用金型の可動側（コア側）の金型で成形し、外面側（スピーカネット２６０が固着される側）となる領域は、固定側（キャビ側）の金型で成形する構造となっている。
【００４９】
上記、成形用金型の構造に合わせて、コア側の移動方向と同一方向（平行）に突出部２７１を配設している。詳細には、突出部２７１は、スピーカカバー本体２７０のコア側の移動方向となる内面側の４つのコーナー部において、コア側の移動方向と同一方向（平行）に突起２７１ａ，２７１ｂ，２７１ｃ，２７１ｄを形成している。なお、突起２７１ａ，２７１ｂは、第１の面２５１に相対して設けられ、突起２７１ｃ，２７１ｄは、第２の面２５２に相対して設けられている。詳細には、本実施形態では、２つの面（第１の面２５１と第２の面２５２）に対して内面側で略４５度の方向に形成されることになる。
【００５０】
外観面外装ケース１１０に配設され、スピーカカバー部材２５０を固定するためのブッシュは、スピーカカバー固定部領域１２０の外観面に対して略４５度の方向で配設される（図示省略）。このように配設されたブッシュに対して、スピーカカバー部材２５０の弾性を利用して突出部２７１を挿入することにより、スピーカカバー部材２５０は外観面外装ケース１１０に固定される。なお、その他の構成は、第１実施形態と同様に構成される。
【００５１】
上述した、第２実施形態によれば、第１実施形態での効果を同様に得られる他に、以下の効果が得られる。
（１）本実施形態によれば、スピーカカバー本体２７０の突出部２７１は、成形用金型構造においてコア側の移動方向と同一方向（平行）となるように形成されている。これにより、突出部２７１の成形において、入れ子金型などを用いる成形用金型を使用する必要がなく、成形用金型の構造がシンプルになるため、金型コストひいては部品コストを低減することが可能になる。また、スピーカカバー部材２５０を固定部としてのブッシュに固定する場合には、スピーカカバー部材２５０の弾性を利用してブッシュに固定することにより確実に固定できる。
【００５２】
なお、本発明は、上述した実施形態に限定されず、種々の変更や改良などを加えることが可能である。変形例を以下に述べる。
（変形例１）前記実施形態での電子機器１において、スピーカカバー部材２１０，２５０が、外観面外装ケース１１０のスピーカカバー固定部領域１２０に配設される外装構成部のＤＶＤ外装ケース固定部１１２及びネジ１５０を覆うことにより、美観を向上させている。しかし、これに限らず、スピーカカバー固定部領域１２０に、プロジェクタ本体やＤＶＤプレーヤ本体を外装ケース１００に収容する際に、組立て用の案内孔などを形成しても、スピーカカバー部材２１０，２５０が覆うことにより、同様に美観を向上させることができる。または、スピーカカバー固定部領域１２０に、別の構成部を構成する場合に必要となる部材が配設されていても、スピーカカバー部材２１０，２５０が覆うことにより、同様に美観を向上させることができる。
【００５３】
（変形例２）前記実施形態での電子機器１において、スピーカ構成部２００は、背面側１ａと右面側１ｂとのコーナー部、及び、背面側１ａと左面側１ｃとのコーナー部にそれぞれ１組ずつ収容されている。しかし、これに限らず、背面側１ａと右面側１ｂと上面側１ｅ、及び、背面側１ａと左面側１ｃと上面側１ｅとの３つの面の交差するコーナー部にそれぞれ収容されても良い。その場合、スピーカは、上面側１ｅの方向に報音させることで、聴取範囲が更に拡大できる。
【００５４】
（変形例３）前記実施形態での電子機器１において、スピーカ構成部２００を構成するスピーカカバー部材２１０，２５０は、背面側１ａと右面側１ｂとのコーナー部、及び、背面側１ａと左面側１ｃとのコーナー部に、それぞれの面（２つの面）に対応して２つの面を有して配設されている。しかし、これに限らず、背面側１ａと右面側１ｂと上面側１ｅ、及び、背面側１ａと左面側１ｃと上面側１ｅとのコーナー部に、それぞれの面（３つの面）に対応して３つの面を有して配設されても良い。
【００５５】
（変形例４）前記実施形態での電子機器１は、プロジェクタ及び画像再生装置が一体化されたものであるが、これに限られるものではなく、スピーカ構成部２００を備える必要がある電子機器であるならば本発明を実施することにより同様の効果を奏することができる。
【００５６】
（変形例５）前記実施形態での電子機器１における画像再生装置として、ＤＶＤプレーヤを採用している。しかし、これに限らず、ビデオテーププレーヤを採用しても良い。また、ＤＶＤやビデオテープなどのメモリ媒体以外の各種のメモリ媒体を用いて、電子機器に差込む等することで、メモリ媒体に記録された画像や音声を再生する画像再生部を有して構成される画像再生装置でも良い。または、テレビジョン信号を受信して映像や音声に変換するチューナ部を有して構成される画像再生装置でも良い。
【００５７】
（変形例６）前記第２実施形態でのスピーカカバー本体２７０は、成形時に、内面側となる領域は、成形用金型の可動側（コア側）の金型で成形し、外面側（スピーカネット２６０が固着される側）となる領域は、固定側（キャビ側）の金型で成形する構造となっている。しかし、これに限らず、内面側となる領域は、成形用金型の固定側（キャビ側）の金型で成形し、外面側となる領域は、可動側（コア側）の金型で成形する構造としても良い。
【００５８】
（変形例７）前記実施形態での電子機器１におけるプロジェクタは、透過型液晶方式のプロジェクタを採用している。しかし、これに限らず、ＤＬＰ（登録商標）（Digital Light Processing）方式及び反射型液晶方式であるＬＣＯＳ（Liquid Crystal On Silicon）方式などを採用したプロジェクタであっても良い。
【図面の簡単な説明】
【００５９】
【図１】本発明の第１実施形態に係る電子機器の概略斜視図であり、スピーカが配設される側から見た斜視図である。
【図２】外装ケースの外面側に配設されたスピーカカバー部材を取外した状態を示す斜視図である。
【図３】スピーカカバー部材の斜視図であり、図３（ａ）は、スピーカカバー部材を上方から見た図であり、図３（ｂ）は、スピーカカバー部材を内面側から見た斜視図である。
【図４】本発明の第２実施形態に係るスピーカカバー部材の概略斜視図であり、図４（ａ）は、スピーカカバー部材のスピーカカバー本体の成形時における型構造の概略説明図であり、図４（ｂ）は、スピーカカバー部材を内面側から見た斜視図である。
【符号の説明】
【００６０】
１…電子機器、１００…外装ケース、１１０…外面側外装ケース、１１１…ＤＶＤ外装ケース、１１２…ＤＶＤ外装ケース固定部、１２０…スピーカカバー固定部領域、１２０ａ…背面側スピーカカバー固定部領域、１２０ｂ…右面側スピーカカバー固定部領域、１２１，１２２等…開口部、１３０…ブッシュ、１５０…ネジ、２００…スピーカ構成部、２１０…スピーカカバー部材、２１１…第１の面、２１２…第２の面、２２０…スピーカ部、２２１，２２２…スピーカ、２３０…スピーカネット、２４０…スピーカカバー本体、２４１…突出部、２５０…スピーカカバー部材、２５１…第１の面、２５２…第２の面、２６０…スピーカネット、２７０…スピーカカバー本体、２７１…突出部、３００…ＤＶＤ投入部、３１０…表示部、５００…スクリーン。
【図１】
2007036933.tif 000003
【図２】
2007036933.tif 000004
【図３】
2007036933.tif 000005
【図４】
2007036933.tif 000006